(57)【要約】【課題】  遮音性能が高く、しかも使用する材種を増やさないで低コストで、現場管理が容易な二重床を開発する。【解決手段】  下床上に設置した床支持具上にパーティクルボードを二重に貼付し、その上に仕上げ材を貼付する。パーティクルボードを二重貼りすることで遮音性能が向上するとともに、パーティクルボードが安価な材料であるので、コストが大幅に低減され、さらに材種が増えることで現場での管理が煩雑になり、廃材が多種、多量になるという問題も解消される。【選択図】      図４
2005097902.tif 000002
【特許請求の範囲】
【請求項１】
下床上に設置した床支持具上にパーティクルボードを二重に貼付し、その上に仕上げ材を貼付したことを特徴とする二重床
【請求項２】
請求項１の二重床において、前記二重に貼付したパーティクルボードのうちの上層のパーティクルボードの下面に、適宜間隔で凹溝が形成されていることを特徴とする二重床
【請求項３】
請求項１又は２の二重床において、前記二重に貼付したパーティクルボードが下層と上層とで貼付方向が直角をなしていることを特徴とする二重床
【請求項４】
請求項１、２又は３の二重床において、前記仕上げ材がフローリングであることを特徴とする二重床
【発明の詳細な説明】
【技術分野】
【０００１】
本発明は、コンクリートスラブなどの下床の上に上床を施工する二重床で、特に遮音性能に優れる二重床に関する。
【背景技術】
【０００２】
従来から、コンクリートスラブなどの下床の上に床支持具を配置し、その上にパーティクルボードなどの上床ベースパネルを貼付する二重床が知られている（特許文献１〜５参照）。
【特許文献１】特開昭５７−１１９０５５号公報
【特許文献２】特開平１０−２４５９６４号公報
【特許文献３】特開２００１−９８７４７号公報
【特許文献４】実開昭５６−１５５０４２号公報
【特許文献５】実開昭５６−１７４６３６号公報
【０００３】
図８は従来の遮音性能を重視した二重床の例を示す断面図である。コンクリートスラブなどの下床１４上に床支持具３（図６参照）を適宜間隔で配置し、壁際には際根太４を設け、これら床支持具の上に上床ベースパネル（上床の荷重を受け止めて床支持具に伝達する構造材）である厚さ２０ｍｍのパーティクルボード１を貼付し、その上に順次厚さ４ｍｍの遮音シート１２（骨材をアスファルト又はゴムで固めたもの）、厚さ５．５ｍｍの合板１１、仕上げ材である厚さ１２ｍｍのフローリング９を貼付している。なお、図８において符号１０は巾木、１３は束（際根太４を支持する角材）、１５は壁である。
【０００４】
上記のように、二重床の遮音性能を高め、二重床の上床上の騒音が階下の部屋に伝達しないようにする場合、パーティクルボードの上に遮音シートを貼付し、さらにその上に仕上げ材を貼付するための合板を貼付することが行われていた。このような二重床は、遮音シートの弾性によって、上床上の騒音が階下の部屋に伝わるのを防ぎ、遮音性能に優れたものとなる。なお、遮音性能を重視しない場合は、パーティクルボード１の上に直接フローリング９などの仕上げ材を貼付することが可能である。
【発明の開示】
【発明が解決しようとする課題】
【０００５】
従来の遮音性能に優れた二重床は、上床の下地材としてパーティクルボードの他に遮音性能を向上させるための建材（遮音シート、合板等）を用いるので、コスト高となるばかりでなく、材種が増えることで現場での管理が煩雑になり、廃材が多種、多量になるという問題があった。本発明は、従来の遮音性能の高い二重床と同等の遮音性能を有し、しかも使用する材種を増やさないで低コストな、現場管理が容易となる二重床を開発することを課題としてなされたものである。
【課題を解決するための手段】
【０００６】
本発明は、下床上に設置した床支持具上にパーティクルボードを二重に貼付し、その上に仕上げ材を貼付したことを特徴とする二重床である。発明者らは、鋭意研究の結果、遮音シートなどの特別の遮音材料を使用しなくとも、安価な上床ベースパネルであるパーティクルボードを二重貼りすることで、従来と同等の遮音性能を実現できることを発見した。
【発明の効果】
【０００７】
本発明は、パーティクルボードを二重貼りすることで遮音性能が向上するとともに、パーティクルボードが安価な材料であるので、コストが大幅に低減され、さらに材種が増えることで現場での管理が煩雑になり、廃材が多種、多量になるという問題も解消される。
【発明を実施するための最良の形態】
【０００８】
本発明の二重床において、二重に貼付したパーティクルボードのうちの上層のパーティクルボードの下面に、適宜間隔で凹溝を形成することが望ましい。パーティクルボードは、表面の平滑度が悪く、反りを生じやすい建材であるので、二重に貼付すると上層と下層のパーティクルボードどうしが密着せず、浮き上がった部分が生じて上を歩くとブカブカする状態になる虞があるが、上層のパーティクルボードの下面に適宜間隔で凹溝を形成すると、上層と下層のパーティクルボードが密着し、このような危惧が解消される。
【０００９】
本発明の二重床において、二重に貼付したパーティクルボードが下層と上層とで貼付方向が直角をなしていることが望ましい。パーティクルボードは長方形のパネル状をなし、その大きさは一般的には４５５ｍｍ×１８２０ｍｍ、６００ｍｍ×１８２０ｍｍ、９１０ｍｍ×１８２０ｍｍ、厚さは２０ｍｍ又は２５ｍｍである。ここで「貼付方向」とは、貼付したときの、切断していないいわゆる「真物（まもの）」の状態における長辺の方向をいう。下層と上層とで貼付方向を直角にすると、強度的弱点となるボードの継目が重なりにくく、局部的に強度が弱い部分ができるのを防ぐことができる。
【００１０】
本発明二重床において、仕上げ材は特定されないが、特に騒音の発生しやすいフローリングを選択しても、十分な遮音性能を得ることができる。
【００１１】
本発明において、床支持具は上床を下床から浮かせて支持できるものであればよく、特に限定されないが、脚部に防振ゴムを有するものを用いることが望ましい。防振ゴムによって上床の騒音が吸収され、遮音性能が向上するからである。図５、６は防振ゴムを有する床支持具の例を示している。図５は単足の床支持具２の例で、支持板部５、受金具７、ボルト６、脚部８からなる。支持板部５は木質の板でボルト孔を有し、下面に受金具７が固定されている。受金具７は雌ねじ孔にボルト６が螺着される。脚部８は防振ゴムでボルト６の下端が挿入されている。ボルト６の上面には直径方向の溝があり、上からドライバーで回転して高さ調整が可能である。図６は複足の床支持具３で、図５と同じ機能の部材に同じ符号を付している。床支持具としては、図５の単足床支持具、図６の複足の床支持具、これらの組み合わせ、又古来の大引・根太など種々のものを用いることができる。なお、図５、６は上段に平面図、下段に断面図を示している。
【実施例】
【００１２】
図１はある居室に本発明二重床を施工する場合の下層のパーティクルボードの割付の例を示す平面図、図２は上層のパーティクルボードの割付の例を示す平面図、図３は図２におけるＡＡ線断面図、図４は実施例の二重床の断面図である。
【００１３】
図１〜４において、コンクリートスラブである下床１４上に適宜間隔で床支持具２（図５）及び床支持具３（図６）を配置し、壁際には際根太４（角材）を適宜間隔の束１３（角材）上に設け、これらの床支持具の上に、図１に示すように、６００ｍｍ×１８２０ｍｍ×２０ｍｍのパーティクルボード１（下層）を貼付した。貼付方向（パーティクルボードの長辺の方向）は矢印Ｙ方向である。さらにその上に９１０ｍｍ×１８２０ｍｍ×２０ｍｍのパーティクルボード１’（上層）を貼付した。その貼付方向は矢印Ｘ方向である。二重に貼付したパーティクルボード１、１’は、下層と上層とで貼付方向が直角となっている。図４に示すように、上層のパーティクルボード１’の上にさらに仕上げ材である厚さ１２ｍｍのフローリング９を貼付し、壁１５には巾木１０を設けた。
【００１４】
上層に貼付したパーティクルボード１’の下面には、図７に示すように、長辺方向及び短辺方向に、適宜間隔で凹溝２０が形成されている。凹溝２０の幅は３ｍｍ、深さは１２ｍｍである。凹溝２０により、パーティクルボード１’が変形しやすくなるので、上層のパーティクルボード１’と下層のパーティクルボード１とが密着する。上層のパーティクルボードは構造材ではないので、凹溝を設けることによる強度上の問題はない。
【００１５】
図４に示す実施例の二重床について遮音性能を測定した。その結果を図９に示す。また、図８に示す従来の二重床の遮音性能を測定した結果を図１０に示す。図４の実施例は、図８の従来例の遮音シート１２及び合板１１を上層のパーティクルボード１’に置換した構成となっている。遮音性能の測定は、ＪＩＳ−Ａ−１４４０に準拠し、建設省告示第１６５４号８−１（３）のロ２ｆに記載されている実験室で測定した。
【００１６】
図９、１０において、ＬＬ（左側に表示）は主に通常の生活音を基準とした軽量衝撃音で、実験室に設置したタッピングマシーンで発生させた衝撃音を階下の受音室で測定した値、ＬＨ（右側に表示）は子供の走り回る音、物を落としたときに生じる音など、特別な行動によって生じる重量衝撃音で、実験室に設置したバングマシーンで発生させた衝撃音を階下の受音室で測定した値である。上段のグラフに示す「Ｌ−６５」〜「Ｌ−４０」は遮音等級を決定するための遮音等級曲線で、グラフ中の四角い点が測定した床衝撃音の各周波数帯域におけるレベルである。中心周波数６３Ｈｚ、１２５Ｈｚ、２５０Ｈｚ、５００Ｈｚ、２０００Ｈｚ及び４０００Ｈｚの１オクターブ帯域における床衝撃音レベルの測定値を遮音等級曲線と比較し、各帯域において一番近い遮音等級曲線を求め、その最大の遮音等級曲線の呼び方によって遮音等級を表す。下段の表に示す「ＡＰ」は、「ALL PRESS」の略で、周波数に分解していないときの床衝撃音レベルを示す。
【００１７】
実施例の二重床についてみると、ＬＬ値は、図９上段左側に示すように、２５０Ｈｚと５００Ｈｚにおいて測定値が遮音等級曲線「Ｌ−４５」に近く、その他の帯域の測定値が近い遮音等級曲線はこれよりも小さいので、遮音等級は「Ｌ−４５」である。また、ＬＨ値の遮音等級は、同図上段右側に同様に示されるように、２５０Ｈｚの測定値が遮音等級曲線「Ｌ−５０」に近く、その他の帯域の測定値が近い遮音等級曲線はこれよりも小さいので、遮音等級は「Ｌ−５０」である。同様に従来例についてみると、ＬＬ値は、図１０上段左側に示すように、遮音等級は「Ｌ−４５」である。また、ＬＨ値は、同図上段右側に示すように、遮音等級は「Ｌ−５０」である。すなわち、実施例と従来例はＬＬ値、ＬＨ値共に遮音等級が同じであり、同等の遮音性能を有している。
【００１８】
上記の実施例では、下層のパーティクルボード１と上層のパーティクルボード１’とでは、寸法の異なるものを使用したが、同じ寸法のものを用いてもよいことは勿論である。
【００１９】
本発明は、マンション、事務所建築などの二重床に適用して有効なものである。下床としては、主にコンクリートスラブであるが、これに限るものではない。
【図面の簡単な説明】
【００２０】
【図１】下層のパーティクルボードの割付の例を示す平面図である。
【図２】上層のパーティクルボードの割付の例を示す平面図である。
【図３】図２におけるＡＡ線断面図である。
【図４】実施例の二重床の断面図である。
【図５】床支持具２の説明図である。
【図６】床支持具３の説明図である。
【図７】上層のパーティクルボード１’の説明図である。
【図８】従来例の二重床の断面図である。
【図９】実施例の二重床の遮音性能の説明図である。
【図１０】従来例の二重床の遮音性能の説明図である。
【符号の説明】
【００２１】
１  パーティクルボード
１’  パーティクルボード
２  床支持具
３  床支持具
４  際根太
５  支持板部
６  ボルト
７  受金具
８  脚部
９  フローリング
１０  巾木
１１  合板
１２  遮音シート
１３  束
１４  下床
１５  壁
２０  凹溝
【図１】
2005097902.tif 000003
【図２】
2005097902.tif 000004
【図３】
2005097902.tif 000005
【図４】
2005097902.tif 000006
【図５】
2005097902.tif 000007
【図６】
2005097902.tif 000008
【図７】
2005097902.tif 000009
【図８】
2005097902.tif 000010
【図９】
2005097902.tif 000011
【図１０】
2005097902.tif 000012